(57)【要約】【課題】  ペン先繰出式の筆記具において、快適な筆記に必要な量のペン先の露出量を、少ない操作量で確保することを可能にする。【解決手段】  操作部に動滑車を設け、軸筒上へ固定滑車を設け、一端が軸筒上へ取り付けられた糸状部材が、動滑車に掛けられ、そこから固定滑車へと掛けられ、残りの一端を、先端にペン先を有する芯材へと取り付けられた構造で、動滑車の働きにより、操作部の操作距離を上回る距離をペン先が移動するようにしたことを特徴とする筆記具。【選択図】図１
2011126259.tif 000002
【特許請求の範囲】
【請求項１】
先端が開口した軸筒の内部に納められたペン先が、軸筒に設けた操作部を操作することにより軸筒先端開口部より突出する筆記具において、該操作部に動滑車を設け、該軸筒または該軸筒と一体の部材上へ固定滑車を設け、一端が該軸筒または該軸筒と一体の部材上へ取り付けられた糸状部材が、該動滑車に掛けられ、そこから該固定滑車へと掛けられ、残りの一端を、先端に該ペン先を有する芯材へと取り付けられた構造で、動滑車の働きにより、該操作部の操作距離を上回る距離を該ペン先が移動するようにしたことを特徴とする筆記具。
【請求項２】
請求項１に記載した筆記具であって、該操作部に連結された蓋部材が、その操作部の動きに連動し、該ペン先が突出入する孔の開放及び閉塞を行うことを特徴とした筆記具。
【請求項３】
請求項１または請求項２のいずれか１項に記載した筆記具であって、該ペン先単体、または、該ペン先と該芯材が一体で回動自在に軸筒１内部に設置され、その回動が適当な角度において系止され、その角度を維持したまま軸筒先端開口部より突出し筆記することが可能な構造としたことを特徴とする筆記具。
【請求項４】
請求項１から請求項３までのいずれか１項に記載した筆記具であって、該ペン先が該軸筒先端より露出した状態、すなわち筆記可能な状態に該ペン先を系止する機能を備えたことを特徴とする筆記具。
【請求項５】
請求項１から請求項４までのいずれか１項に記載した筆記具であって、該ペン先が該軸筒先端より突出しないよう、該ペン先を該軸筒内に系止する機能を備えたことを特徴とする筆記具。
【発明の詳細な説明】
【技術分野】
【０００１】  本発明は、ペン先の突出構造に関する。
【背景技術】
【０００２】
【特許文献１】  特開２００５−１２５５８９
【発明の開示】
【発明が解決しようとする課題】
【０００３】  操作部を軸筒後方に向け移動させることによりペン先を突出させる構造の筆記具としては、特許文献１に示すようなタイプのものがある。しかし、この構造では蛍光ペンのように蓋が必要な筆記具の場合、移動するペン先が開放前の蓋と接触しないようにするためには、ペン先を筆記具本体内部においてある程度奥の位置からスタートさせなければならない。だが操作部とペン先の移動距離の比率が１：１の構造では、例えば操作部を筆記具の前部に設け、持ち手の一指にて操作を行うものとする場合、使用者が快適に行える操作の量では快適な筆記に必要なだけのペン先の露出量を得ることは困難である。
【課題を解決するための手段】
【０００４】  本発明は、上記課題を解決するためになされたものであり、まず請求項１の発明では、先端が開口した軸筒の内部に納められたペン先が、軸筒に設けた操作部を操作することにより軸筒先端開口部より突出する筆記具において、該操作部に動滑車を設け、該軸筒または該軸筒と一体の部材上へ固定滑車を設け、一端が該軸筒または該軸筒と一体の部材上へ取り付けられた糸状部材が、該動滑車に掛けられ、そこから該固定滑車へと掛けられ、残りの一端を、先端に該ペン先を有する芯材へと取り付けられた構造で、動滑車の働きにより、該操作部の操作距離を上回る距離を該ペン先が移動するようにしたことを特徴とする筆記具を提供する。【０００５】  また請求項２の発明では、該操作部に連結された蓋部材が、その操作部の動きに連動し、該ペン先が突出入する孔の開放及び閉塞を行うことを特徴とした筆記具を提供する。【０００６】  また請求項３の発明では、該ペン先単体、または、該ペン先と該芯材が一体で回動自在に軸筒１内部に設置され、その回動が適当な角度において系止され、その角度を維持したまま軸筒先端開口部より突出し筆記することが可能な構造としたことを特徴とする筆記具を提供する。【０００７】  また請求項４の発明では、該ペン先が該軸筒先端より露出した状態、すなわち筆記可能な状態に該ペン先を系止する機能を備えたことを特徴とする筆記具を提供する。【０００８】  また請求項５の発明では、該ペン先が該軸筒先端より突出しないよう、該ペン先を該軸筒内に系止する機能を備えたことを特徴とする筆記具を提供する。【０００９】  なお、請求項１の発明を詳細に説明すると次のとおりである。文中の「軸筒」の断面形状は円形状以外であってもよい。また該軸筒において、ペン先が突出する側を前方とする。そして前方に位置する端を軸筒先端とする。また、文中の「動滑車の働き」とは、すなわち、一つの動滑車を用いた場合、動滑車にかかる力は２倍になる代わりに、動滑車の移動距離は２分の一になるといった原理を応用したものである。【００１０】  請求項２の発明を詳細に説明すると次のとおりである。文中の「ペン先が突出入する孔」とは、軸筒の先端に位置する孔、または軸筒内部におけるペン先の通る軸孔について述べたものである。【００１１】  請求項３の発明を詳細に説明すると次のとおりである。例えば蛍光ペンのように先端が斜めにカットされたペン先を持つ筆記具などは、縦書きと横書きとではペン先の上下の向きを変えなければならない。本請求項の発明は、そのような状況に対応可能な筆記具を提供するための発明であり、文中で述べた「回動」および、「適当な角度において系止」とは、例えば図７と図８とにより示したような状態の変化をもたらすものである。
【発明の効果】
【００１２】  動滑車の作用により、ペン先の移動距離は操作部のスライド距離を上回るものとなる。その結果、操作量を増やすことなくペン先の待機位置を軸筒内のより奥の方に設定することが可能となり、蓋部材とペン先との接触の危険性が小さくなるため、蓋部材の構造を考える上で有利である。
【実施例】
【００１３】  本実施例による筆記具は、軸筒１、芯材２、ペン先３、操作部４ａ、動滑車５、固定滑車６、糸状部材７、前方ガイド８、シーリング９、蓋部材１０、中央ガイド１１、コイルばね１２、芯材後部１３、角度固定具１４、角度調整溝１５、インクカートリッジ１６により構成される。なお操作部４ａは、本筆記具を服のポケットなどに差し込む際に利用するクリップの機能を兼ね備えたものとなっている。（図１参照）【００１４】  軸筒１先端内部に、前方ガイド８を取り付け、前方ガイド８上に固定滑車６を軸着する。軸筒１には、操作部用スリット１７を開け、その操作部用スリット１７を利用して操作部４ａを装着する。（図３、図４参照）操作部４ａにおいて軸筒１内に位置する場所に、動滑車５を軸着する。【００１５】  先端にペン先３を備えた芯材２は、その表面が薄く硬質な素材に覆われており、前方ガイド８と中央ガイド１１とにより支持され、コイルばね１２により軸筒後方に向け押止される。また、芯材後部１３は軸筒１の内径よりわずかに小さな径を持ち、その表面には角度固定用溝１５が長手方向に刻まれている。そして、角度固定具１４の内側突起部分が、軸筒１に開けた角度調整用スリット１８を通し、軸筒１内にて角度固定用溝１５に収まるよう角度固定具１４を軸筒１上に嵌める。なお、角度調整用スリット１８は、角度固定具１４の内側突起部分がほぼ９０度の範囲を移動できる長さに設けるのがよい。（図４から図６参照）【００１６】  蓋部材１０は、操作部４ａから前方に向かって延びた状態で、その先端に近い部分は薄くある程度の柔軟性を持ったものとする。そして、前方ガイド８表面と軸筒１内面とにより形成されたガイドとなる薄い空間に沿って操作部４ａの動きに併せて移動し、前方ガイド８の軸孔の先端を塞いだり開放したりできるように設置する。（図１、図２参照）【００１７】  糸状部材７は、その一端を軸筒１内面の適当な位置に取り付け、そこから操作部４ａ上の動滑車５に掛け方向を反転し、次に前方ガイド８上に設けた固定滑車６に掛け再び方向を反転し、最後に芯材２の途中に設けた突起に残りの一端を取り付ける。ここでのそれぞれの位置の関係であるが、ペン先３が完全に格納された状態において、動滑車５と固定滑車６は可動範囲内で最も近くに位置し、糸状部材７の芯材２への取り付け部分は固定滑車６より最も離れた位置となるのが好ましい。なお図９では、実線がペン先格納時を、点線がペン先露出時の状態を表している。【００１８】  なお、本筆記具未使用時（該ペン先を格納した状態）において、ペン先３が位置する前方ガイド８の軸孔は、蓋部材１０とシーリング９と芯材２によりほぼ密閉された空間となるため、ペン先３からのインクの蒸散を防ぐことが可能である。【００１９】  インクカートリッジを用意したい場合は、該軸筒を分割可能な構造とし芯材後部１３にインクカートリッジ１６を脱着可能に設けるのもよい。【００２０】  以上の構造により、本筆記具を使用する際は、図１４および図１５に示すように、持ち手人差し指にて操作部４ａを軸筒１後方に向けスライドさせると、動滑車５に掛けられた糸状部材７はその一端が軸筒１に固定されているので、動滑車５は後方に向け移動する際、回転しなが��糸状部材７を後方に向け引っ張ることとなる。そして糸状部材７は固定滑車６により方向を反転しその先端に繋がれた芯材２を前方に向け引くこととなる。この時の移動距離を比較すると、芯材２の移動距離、すなわちペン先３の移動距離は、動滑車５の移動距離、すなわち操作部４ａの移動距離のほぼ２倍となる。【００２１】  一方、操作部４ａに取り付けられた蓋部材１０は後方に向け引っ張られるので、その先端部分は引き上げられて軸筒１先端の孔が開放され、ペン先３は軸筒１の先端より突出する。【００２２】  使用後は、操作部４ａを押さえていた指の力を抜くことで、コイルばね１２の作用により芯材２は後方に向け移動するが、その際、芯材２に取り付けられた糸状部材７は後方に向け引っ張られ、固定滑車６によって方向を反転し、動滑車５すなわち操作部４ａを前方へと移動させる。一方、ペン先３は前方ガイド８の軸孔に収まり、蓋部材１０は操作部４ａに押されて前方へと移動し前方ガイド８の軸孔の先端を塞ぐ位置へと収まる。【００２３】  また、例えば蛍光ペンの場合、そのペン先は先端が斜めにカットされているため、横方向に筆記する場合と縦方向に筆記する場合とでは上下の向きを変える必要がある。しかし本実施例のように、筆記具を持ち替えることなく操作部を持ち手の人差し指等により操作する筆記具の場合、軸筒ごと回動させたのでは操作部が邪魔な位置に来てしまう。そこで本発明では軸筒内部においてその調整が行える構造を考案したもので、実施例としては、前述のとおり設置した角度固定具１４を軸筒１円周方向に９０度スライドさせることにより芯材後部１３からペン先３にかけ一体となって回動し、その結果ペン先３の上下の向きが変わるといった構造が挙げられる。（図７、図８参照）これにより、本筆記具使用者は、縦書きの書籍に用いる場合と横書きの書籍に用いる場合、それぞれに応じてペン先の向きを設定し直して使用することが可能となる。【００２４】  なお、この場合縦書きにおいては、右利きの者と左利きの者とではペン先の向きが反対となる。その対応策としては、芯材後部１３において角度固定用溝１５から円周方向に９０度ずらした位置に角度固定用溝をもう一つ別に設け、角度固定具１４を軸筒に対し脱着自在とし、右利きと左利きそれぞれに適した側の溝に、角度固定具１４の内側の突起が収まるよう軸筒上に嵌めて使用する方法、または、ペン先を芯材より抜き差し自在なものとし、ペン先のみを芯材に差し直すことで調整する方法などが挙げられる。【００２５】  また、軸筒１より露出したペン先３が、操作部を押さえている指の力を抜いても軸筒１内に戻らなくするため、または、不用意なペン先の突出を防止するため、操作部の構造を変え軸筒上にストッパーを設けるのもよい。【００２６】  実施例としては、まずベースとなる操作部４ｂに対し、爪２０を有するクリップ１９を回動軸２１により軸着し、板ばね２２を用いて、クリップ１９先端が軸筒１の表面に向かって押しつけられる構造とする。（図１０参照）【００２７】  この構造により、軸筒１上の図１０に示す位置にストッパー２３を設けた場合、力を加えない限りは爪２０がストッパー２３に引っかかった状態となるので、操作部は軸筒後方に向けてのスライドができないこととなる。つまり不用意なペン先の突出を避けることが可能となる。【００２８】  また、図１１に示すように、その位置と形をストッパー２４のようにすれば、ペン先の露出状態を器械的に維持することが可能となる。【００２９】  また、前記の二つの効果を両立するため、図１２に示すように、その形状をストッパー２５のようにしてもよい。【００３０】  また、ペン先の露出状態を維持する方法としては、操作部の形状を図１３に示すような単純なものとし、クリップ部分に弾性素材を用いて、爪２７を跨がせてストッパー２６に引っ掛けるのもよい。なお図１３ではＡがペン先格納時、Ｂが操作部を指で押さえての筆記時、Ｃが操作部を器械的に系止しての筆記時におけるそれぞれの位置関係を示したものである。
【図面の簡単な説明】
【００３１】
【図１】  本発明による筆記具一実施例の、ペン先格納状態での側面展開図である。
【図２】  図１に示す筆記具のペン先を露出した状態での側面展開図（前部）である。
【図３】  図１におけるＸ−Ｘ線断面図である。
【図４】  図１に示す筆記具の軸筒部材平面図である。
【図５】  図７におけるＹ−Ｙ線断面図である。
【図６】  図８におけるＺ−Ｚ線断面図である。
【図７】  図１に示す筆記具のペン先を横書きに適した向きに系止した状態の側面図である。
【図８】  図１に示す筆記具のペン先を縦書きに適した向きに系止した状態の側面図である。
【図９】  図１に示す筆記具において、動滑車と糸状部材の動作を表した略図である。
【図１０】  ペン先の突出を防止するための構造についての一実施例の操作部側面図である。
【図１１】  ペン先の露出状態を維持するための構造についての一実施例の操作部側面図である。
【図１２】  ペン先の突出防止及び露出状態を維持する構造の一実施例の操作部側面図である。
【図１３】  ペン先の露出状態を維持するための構造についての一実施例の操作部側面図である。
【図１４】  図１に示す筆記具において、持ち手内でペン先を格納した状態を表す図である。
【図１５】  図１に示す筆記具において、持ち手内でペン先を露出した状態を表す図である。
【符号の説明】
【００３２】  １    軸筒
２    芯材
３    ペン先
４ａ  操作部
４ｂ  操作部
５    動滑車
６    固定滑車
７    糸状部材
８    前方ガイド
９    シーリング
１０  蓋部材
１１  中央ガイド
１２  コイルばね
１３  芯材後部
１４  角度固定具
１５  角度固定用溝
１６  インクカートリッジ
１７  操作部用スリット
１８  角度調整用スリット
１９  クリップ
２０  爪
２１  回動軸
２２  板ばね
２３  ストッパー
２４  ストッパー
２５  ストッパー
２６  ストッパー
２７  爪
【図１】
2011126259.tif 000003
【図２】
2011126259.tif 000004
【図３】
2011126259.tif 000005
【図４】
2011126259.tif 000006
【図５】
2011126259.tif 000007
【図６】
2011126259.tif 000008
【図７】
2011126259.tif 000009
【図８】
2011126259.tif 000010
【図９】
2011126259.tif 000011
【図１０】
2011126259.tif 000012
【図１１】
2011126259.tif 000013
【図１２】
2011126259.tif 000014
【図１３】
2011126259.tif 000015
【図１４】
2011126259.tif 000016
【図１５】
2011126259.tif 000017